【手続補正書】
【提出日】平成19年7月20日(2007.7.20)
【手続補正１】
【補正対象書類名】明細書
【補正対象項目名】全文
【補正方法】変更
【補正の内容】
【書類名】                明細書
【発明の名称】            コンバイン
【特許請求の範囲】      
【請求項１】  車台（２）の下側に走行装置（１３）を設け、車台（２）の前部に刈取機（８）を設け、車台（２）の上側に脱穀機（１１）を設け、脱穀機（１１）の横側に穀粒貯留タンク（１４）を設け、穀粒貯留タンク（１４）の前方に操作室（３）を形成する操作室フレーム（４）を設け、操作室フレーム（４）を枠材で箱形状に形成し、操作室（３）内に操作装置（２２）と操縦席（２３）を設け、操作室フレーム（４）の一側に樹脂又はガラスよりなる窓（２５ａ）を有した扉（５）を開閉自在に設け、扉（５）の内側に、該扉（５）を外側へ向けて移動させた後に穀粒貯留タンク（１４）側へ向けて移動させて開放状態とするスライド式開閉装置（３２）を設け、操作室フレーム（４）の下側にエンジン（６）を設け、エンジン（６）の外側にエンジンカバー（７）を開閉自在に設けたことを特徴とするコンバイン。
【発明の詳細な説明】      
【０００１】      
【発明の属する技術分野】  
この発明は、コンバインに関するものである。    
【０００２】      
【従来の技術】  
コンバインの走行車台の上側前部の操作室フレームで形成した操作室へ作業者が搭乗して、この操作室フレームの下側でこの走行車台の上側へ載置したエンジンを始動させて、このコンバインを走行させ、前部の刈取機で穀稈は刈取りされ、脱穀機へ供給されて脱穀され、脱穀済み穀粒は穀粒貯留タンクへ一時貯留される。    
【０００３】  
前記エンジンに作業中に不具合が発生したとき、及び点検するときには、このエンジンを外側から覆う状態で、操作室フレームの外側面と略同じ位置に、開閉具で開閉自在に設けたエンジンカバーを開操作して、このエンジンの不具合箇所を修理、及び点検する。
また、操作室フレームの一側に設けた扉の後端部を回動自在に支持した構成のものがある。
【０００４】      
【発明が解決しようとする課題】  
上述の従来の技術では、狭い場所で作業者が操作室へ乗り降りすることが不可能であったが、この発明により、これの問題点を解決しようとするものである。    
【０００５】      
【課題を解決するための手段】  
このために、この発明は、車台（２）の下側に走行装置（１３）を設け、車台（２）の前部に刈取機（８）を設け、車台（２）の上側に脱穀機（１１）を設け、脱穀機（１１）の横側に穀粒貯留タンク（１４）を設け、穀粒貯留タンク（１４）の前方に操作室（３）を形成する操作室フレーム（４）を設け、操作室フレーム（４）を枠材で箱形状に形成し、操作室（３）内に操作装置（２２）と操縦席（２３）を設け、操作室フレーム（４）の一側に樹脂又はガラスよりなる窓（２５ａ）を有した扉（５）を開閉自在に設け、扉（５）の内側に、該扉（５）を外側へ向けて移動させた後に穀粒貯留タンク（１４）側へ向けて移動させて開放状態とするスライド式開閉装置（３２）を設け、操作室フレーム（４）の下側にエンジン（６）を設け、エンジン（６）の外側にエンジンカバー（７）を開閉自在に設けたことを特徴とするコンバインとしたものである。    
【０００６】  
【０００７】  
【０００８】      
【発明の作用】  
扉５を開操作すると、該扉５が外側へ向けて移動し、その後に穀粒貯留タンク１４側へ向けて移動して開状態となる。
【０００９】  
【００１０】  
【００１１】      
【発明の効果】  
この発明によると、狭い場所でも作業者が操作室３へ乗り降りすることが可能となる。また、コンバインを納屋へ出し入れする際に、低速で走行しながら側方の視界を保つことができる。
【００１２】  
【００１３】  
【００１４】      
【発明の実施の形態】  
以下、本発明の一実施例を図面に基づいて説明する。
コンバイン１の走行車台（車台）２の上側の前部には、操作室３を形成する操作室フレーム４を設け、この操作室フレーム４の一方側（右側）には、操作者が操作室３内へ昇降するときに開閉操作する開閉扉（扉）５を開閉自在に設けた構成である。この操作室フレーム４の下側で該走行車台２の上側面には、エンジン６を載置した構成であり、このエンジン６の右外側には、エンジンカバー７を開閉自在に設けた構成である。これら操作室フレーム４、及びエンジンカバー７等を主に図示して説明する。    
【００１５】  
前記コンバイン１の走行車台２の前部には、図４、及び図５で示す如く刈取機８を設け、この刈取機８の刈刃装置９で刈取られた刈取り穀稈は、この刈取機８の穀稈掻込移送装置１０で後方上部へ移送され、脱穀機１１のフィードチエン１２ａと挟持杆１２ｂとへ受渡しされ、これらフィードチエン１２ａと挟持杆１２ｂとで引継ぎ移送して、この移送中にこの脱穀機１１内で脱穀する構成である。    
【００１６】  
前記コンバイン１の走行車台２の下側には、土壌面を走行する左右一対の走行クローラ１３ａを張設した走行装置１３を配設し、該走行車台２の上側に載置した脱穀機１１の平面視右横側には、脱穀済みで選別済みの穀粒を回収して、一時貯留する穀粒貯留タンク１４を装着した構成である。    
【００１７】  
前記穀粒貯留タンク１４の後側には、この穀粒貯留タンク１４内に貯留した穀粒を機外へ排出する縦移送螺旋１５ａを内装した排出支持筒１５を略垂直姿勢で回動自在に支承して設け、この排出支持筒１５の上端部には、その全長がコンバイン１の前後長に亘る機外へ穀粒を排出する排出螺旋１６ａを収縮自在に内装した排出オーガ１６を収縮自在、上下回動自在、左右旋回自在に前後方向に配設した構成である。    
【００１８】  
前記脱穀機１１の前部で走行車台２の前側に設けた刈取機８は、前端部から順次刈取る立毛穀稈を分離するナローガイド１７ａ、及び分草体１７ｂと、分離された穀稈を引起す引起装置１８と、引起された穀稈を掻込みする穀稈掻込移送装置１０の掻込装置１９と、掻込みされた穀稈を刈取る刈刃装置９と、刈取られた穀稈を後方上部へ移送する該穀稈掻込移送装置１０の移送装置２０と、この刈取機８には、油圧駆動による伸縮シリンダ２１等を設けてなる構成である。該伸縮シリンダ２１の作動により、この刈取機８を土壌面に対して昇降自在に作用させる構成である。    
【００１９】  
前記脱穀機１１側で走行車台２の上側前部には、操作室３を操作室フレーム４で形成し、この操作室３内には、コンバイン１を始動、停止、各部を操作、及び調節操作する操作装置２２と、操縦作業者が搭乗する操縦席２３等を設け、この操作室フレーム４の下側で走行車台２の上側面には、エンジン６を載置すると共に、後方には、穀粒貯留タンク１４を配設した構成である。これら脱穀機１１と、刈取機８と、エンジン６と、走行装置１３等により、該コンバイン１の機体１ａを構成している。    
【００２０】  
前記操作室３を形成する操作室フレーム４は、図１〜図３で示す如く枠材で箱形状に枠具２４で形成し、この枠具２４には、鉄板材よりなる塞板２４ａを装着して設けると共に、右側部には、窓枠２５を設け、この窓枠２５には、枠板２５aと樹脂材、又はガラス材等よりなる複数個の窓２５aとよりなる開閉扉５を設けた構成であり、この開閉扉５の後端部には、開閉具２６を上下に所定間隔で装着して設け、この開閉具２６は該操作フレーム４の枠具２４の後側の該塞板２４ａに設けた受具２７で回動自在に支持させた構成である。これら開閉具２６、及び受具２７は右外側へ所定距離突出させて設けた構成である。    
【００２１】  
前記操作室３を形成する操作室フレーム４の後端部と、穀粒貯留タンク１４の前端部との間には、所定幅の空間（イ）部を設けた構成である。
前記エンジン６の右外側部には、このエンジン６のラジエータ部を覆う状態に、エンジン用カバー装置２８を設け、このエンジン用カバー２８は所定幅のエンジンカバー７を開閉自在に設け、このエンジンカバー７の後端部の内側には、開閉用のカバー開閉具２９を上下に所定間隔で装着して設け、このカバー開閉具２９は穀粒貯留タンク１４の前端部に設けたＬ字形状の取付板３０ａのL字部の先端に設けたカバー受具３０で回動自在に支持させた構成である。このエンジンカバー７には、各部品３１等を装着した構成である。
【００２２】  
前記エンジンカバー７のカバー開閉具２９の回動中心（ロ）は、図１で示す如く操作室フレーム４の開閉具２６の回動中心（ハ）より、内側に位置させて設けた構成である。該操作室フレーム４の開閉扉５が開状態のときに、エンジンカバー７を開状態に開操作可能な構成である。    
【００２３】  
これにより、前記操作室フレーム４の開閉扉５を開放時に、エンジンカバー７を開放出来ことにより、メンテナンス性が向上する。又、該エンジンカバー７を開放時に、該開閉扉５は略１８０度に開放状態にすることができて便利である。
前記エンジンカバー７を開操作したときには、図１〜図３で示す如くこのエンジンカバー７の後端部は、操作室フレーム４の後端部と、穀粒貯留タンク１４の前端部との間に形成した空間（イ）部へ回動進入する構成である。    
【００２４】  
これにり、前記エンジンカバー７の開放角度を大きくすることができて、メンテナンス性を向上させることができた。
前記操作室フレーム４の開閉扉５の開閉具２６の装着位置は、図２で示す如くエンジンカバー７の上方部に位置させて設けた構成である。    
【００２５】  
これにより、前記操作室フレーム４の開閉扉５を開放時に、エンジンカバー７の開閉操作が可能であり、便利である。
前記操作室フレーム４の開閉扉５の内側面には、図６、及び図７で示す如くスライド開閉装置（スライド式開閉装置）３２を設けた構成である。該開閉扉５を開操作により、この開閉扉５は油圧用シリンダ３２ａ等よりなるスライド開閉装置３２により、外側へ向けて開移動し、その後に穀粒貯留タンク１４側へ向けて開移動して、この開閉扉５は開状態になる構成である。    
【００２６】  
これにより、狭まい場所で作業者が前記操作室３への乗降が可能になる。又、納屋への出入れ時の超低速で走行時に、側方の視界を保つことができる。
前記刈取機８の穀稈掻込移送装置１０の移送装置２０によって、形成される穀稈搬送経路中には、刈取られて移送される刈取り穀稈に接触作用することにより、脱穀機１１へ穀稈供給の有無を検出する穀稈センサ８ａを設けた構成である。走行車台２の先端部に装架された走行用のミッションケース３３内の伝動経路中には、その出力回転数に基づく走行車速を検出する車速センサ３３ａを設けた構成である。    
【００２７】  
前記操作フレーム４で形成した操作室３内で作業者が快適に収穫作業が行えるように、この操作室３内へ熱風、又は冷風等を送風する冷暖房装置４０のコンデンサ装置３４は、図８で示す如く穀粒貯留タンク１４の上側面へ各取付板１４aを介してボルト、及びナット等で装着した構成である。    
【００２８】  
前記コンデンサ装置３４は、図８、及び図９で示す如く箱形状の上・下ケース３５ａ，３５ｂ内には、コンデンサ３６を内装して設けた箱形状の上・下コンデンサケース３６ａ，３６ｂを内装した構成である。上ケース３５ａの内側面には、目合いの大きい網材よりなる大網目部材３７ａを固着して設け、又、上コンデンサケース３６ａの内側面には、目合の小さい網材よりなる小網目部材３７ｂを固着して設けた構成である。    
【００２９】  
これにより、外側の目合の大きい前記大網目部材３７ａで大きい塵埃が除去され、更に内の目合の小さい小網目部材３７ｂで小さい塵埃が除去されることにより、コンデンサ３６に目詰りの発生を防止することができる。
前記上・下ケース３５ａ，３５ｂ、及び上・下コンデンサケース３６ａ，３６ｂ内には、図８、及び図９で示す如く正逆回転するモータ３８の一部を内装して設け、このモータ３８の軸端部で、これら上・下ケース３５ａ，３５ｂ内の上・下コンデンサケース３６a，３６ｂ内には、ファン羽根３９を内装して設けた構成である。該下コンデンサケース３６ｂは下方へ突出させて、該下ケース３５ｂから突出させ、この下コンデンサケース３６ｂの突出部には、排風口３６ｃを設けた構成である。又、該上ケース３５ａには、吸風口３５ｃを設けた構成である。    
【００３０】  
前記モータ３８は所定時間の経過により、逆回転駆動され、大・小網目部材３７a，３７ｂに付着した塵埃を逆方向へ吹き出す構成である。
前記モータ３８、及びファン羽根３９を上・下ケース３５ａ，３５ｂに内装して設けたことより、部品点数が減少してコスト低減になると共に、塵埃がコンデンサ３６、及びファン羽根３９部に入りにくくなり、該コンデンサ３６の効率を向上させることができる。    
【００３１】  
前記冷暖房装置４０は、図１０〜図１３で示す如く操作室３内の操縦席２３の後側に設け、冷風、及び熱風を上方、又は下方へ切換する吹出口切換ダクト４１は該冷暖房装置４０の前側の出口へ直接接続させて設けた構成である。この吹出口切換ダクト４１の上側には、上方へ向けて上ダクト４２を設け、この上ダクト４２の上端部には、左右両側へ分割する左・右分割ダクト４２ａ，４２ｂを設けて、冷風、又は熱風を左右両側に分割して、該操作室３内の天井部へ向けて供給する構成である。    
【００３２】  
前記吹出口切換ダクト４１の下側には、下ダクト４３を設け、この下ダクト４３は該吹出口切換ダクト４１の下側から、クラッチボックス４７に沿って、操縦席２３の下側部へと設けた構成であり、冷風、又は熱風を該操作室３内の操縦席２３の下部で作業者の足元部へ向けて供給する構成である。    
【００３３】  
前記吹出口切換ダクト４１には、冷風、又は熱風を上ダクト４２、又は下ダクト４３へ切換する切換レバー４４は、冷暖房装置４０を内装した吸気ボックス４０ａと、排出オーガ１６を旋回、及び上下回動操作する各排出オーガレバー４５ａ、４５ｂ、及び各操作スイッチ４５ｃ等を装着したレバーボックス４６との間に設け、この切換レバー４４の操作により、排風方向を上方、又は下方へ切換する構成である。    
【００３４】  
前記切換レバー４４をレバーボックス４６の近傍に設けたことにより、これら各レバー４４、４５ａ、４５ｂ、及び操作スイッチ４５ｃ等を集中化させることができ、操作性が良好になった。
前記吹出口切換ダクト４１を冷暖房装置４０の出口に直接連接させたことにより、この吹出口切換ダクト４１部で供給風のロスを低減させて、吹出し効率のアップを図ることができた。    
【００３５】  
前記下ダクト４３は、クラッチボックス４７に沿って、操縦席２３の下側部へ向けて設けたことにより、この操縦席２３を上下、及び前後移動させるときにも、問題になることがなくなった。    
【図面の簡単な説明】      
【図１】  要部の拡大平面図    
【図２】  要部の右側部の側面図    
【図３】  要部の平面図    
【図４】  コンバインの全体側面図    
【図５】  コンバインの全体正面図    
【図６】  他の実施例を示す図で、開閉扉部の右側部の側面図    
【図７】  他の実施例を示す図で、開閉扉部の平面図    
【図８】  他の実施例を示す図で、コンデンサ装置部の拡大側面図    
【図９】  他の実施例を示す図で、コンデンサ装置部の拡大平面図    
【図１０】  他の実施例を示す図で、排風ダクト部の拡大側面図    
【図１１】  他の実施例を示す図で、排風ダクト部の拡大正面図    
【図１２】  他の実施例を示す図で、排風ダクト部の拡大平面図    
【図１３】  他の実施例を示す図で、切換レバー取付部の拡大正面斜視図    
【符号の説明】  
２    走行車台（車台）
３    操作室    
４    操作室フレーム    
５    開閉扉（扉）
６    エンジン    
７    エンジンカバー
８ 刈取機
１１ 脱穀機
１３ 走行装置
１４    穀粒貯留タンク
２２ 操作装置
２３ 操縦席
２５ａ 窓
３２    スライド開閉装置（スライド式開閉装置）